(57)【要約】【課題】昇降機に関連した情報の漏洩を防止することができる作業状況管理システムを提供する。【解決手段】昇降機の作業状況管理システムは、昇降機に設けられ、昇降機に関連しない識別情報を保持した識別体と、昇降機とは異なる位置に設けられ、識別体の識別情報と当該識別体が設けられた昇降機の識別情報とを対応付けて記憶し、識別体から識別情報を読み取った携帯端末装置から当該識別体の識別情報を受信した際に、当該識別体の識別情報に対応した昇降機の識別情報を当該携帯端末装置へ送信する管理装置と、を備えた。【選択図】図２
2015020836.tif 000002
【特許請求の範囲】
【請求項１】
昇降機に設けられ、昇降機に関連しない識別情報を保持した識別体と、
昇降機とは異なる位置に設けられ、識別体の識別情報と当該識別体が設けられた昇降機の識別情報とを対応付けて記憶し、識別体から識別情報を読み取った携帯端末装置から当該識別体の識別情報を受信した際に、当該識別体の識別情報に対応した昇降機の識別情報を当該携帯端末装置へ送信する管理装置と、
を備えた作業状況管理システム。
【請求項２】
前記識別体は、当該昇降機が運転している際に外部から見えない位置に設けられた請求項１に記載の作業状況管理システム。
【請求項３】
前記識別体は、前記昇降機の制御盤に隣接した請求項２に記載の作業状況管理システム。
【請求項４】
前記管理装置は、昇降機の識別情報と当該昇降機の所有者のメールアドレスとを対応付けて記憶し、携帯端末装置から昇降機の識別情報と当該昇降機の点検タイミングの情報とを受信した際に、当該昇降機の点検タイミングの情報を当該昇降機の所有者のメールアドレスに送信する請求項１〜請求項３のいずれか一項に記載の作業状況管理システム。
【請求項５】
前記管理装置は、携帯端末装置から昇降機の識別情報と当該昇降機の点検開始日時の情報を受信した際に、当該昇降機の点検開始日時の情報を当該昇降機の所有者のメールアドレスに送信する請求項４に記載の作業状況管理システム。
【請求項６】
前記管理装置は、携帯端末装置から昇降機の識別情報と当該昇降機の点検終了日時の情報を受信した際に、当該昇降機の点検終了日時の情報を当該昇降機の所有者のメールアドレスに送信する請求項４又は請求項５に記載の作業状況管理システム。
【発明の詳細な説明】
【技術分野】
【０００１】
この発明は、昇降機の作業状況管理システムに関する。
【背景技術】
【０００２】
例えば、特許文献１には、昇降機の作業状況管理システムが記載されている。当該作業状況管理システムにおいて、昇降機には、コードシールが貼り付けられる。当該コードシールは、二次元コードを備える。当該二次元コードは、当該昇降機の識別情報を保持する。昇降機の利用者は、携帯端末装置で当該二次元コードを読み取ることで当該携帯端末装置のメールアドレスを登録する。当該昇降機の点検時において、作業状況管理システムは、当該昇降機が点検中である旨を当該昇降機に対して登録されたメールアドレスの携帯端末装置に通知する。
【先行技術文献】
【特許文献】
【０００３】
【特許文献１】特開２０１０−９５３５９号公報
【特許文献２】特開２０１０−６５７５号公報
【発明の概要】
【発明が解決しようとする課題】
【０００４】
しかしながら、特許文献１に記載の作業状況管理システムにおいては、一般の利用者も携帯端末装置で二次元コードを読み取ることで当該昇降機の識別情報を取得することができる。この場合、当該昇降機の識別情報に基づいて、当該昇降機に関連した他の情報が漏洩し得る。例えば、当該昇降機の所有者等の個人情報が漏洩し得る。
【０００５】
この発明は、上述の課題を解決するためになされた。この発明の目的は、昇降機に関連した情報の漏洩を防止することができる作業状況管理システムを提供することである。
【課題を解決するための手段】
【０００６】
この発明に係る昇降機の作業状況管理システムは、昇降機に設けられ、昇降機に関連しない識別情報を保持した識別体と、昇降機とは異なる位置に設けられ、識別体の識別情報と当該識別体が設けられた昇降機の識別情報とを対応付けて記憶し、識別体から識別情報を読み取った携帯端末装置から当該識別体の識別情報を受信した際に、当該識別体の識別情報に対応した昇降機の識別情報を当該携帯端末装置へ送信する管理装置と、を備えた。
【発明の効果】
【０００７】
この発明によれば、昇降機に関連した情報の漏洩を防止することができる。
【図面の簡単な説明】
【０００８】
【図１】この発明の実施の形態１における昇降機の作業状況管理システムを利用したエレベータの制御盤の斜視図である。
【図２】この発明の実施の形態１における昇降機の作業状況管理システムの構成図である。
【図３】この発明の実施の形態１における昇降機の作業状況管理システムの連番管理テーブルを説明するための図である。
【図４】この発明の実施の形態１における昇降機の作業状況管理システムの訪問履歴情報テーブルを説明するための図である。
【図５】この発明の実施の形態１における昇降機の作業状況管理システムの動作を説明するためのフローチャートである。
【図６】この発明の実施の形態１における昇降機の作業状況管理システムの動作を説明するためのフローチャートである。
【図７】この発明の実施の形態２における作業状況管理システムを利用したエスカレータの制御盤の斜視図である。
【発明を実施するための形態】
【０００９】
この発明を実施するための形態について添付の図面に従って説明する。なお、各図中、同一又は相当する部分には同一の符号が付される。当該部分の重複説明は適宜に簡略化ないし省略する。
【００１０】
実施の形態１．
図１はこの発明の実施の形態１における昇降機の作業状況管理システムを利用したエレベータの制御盤の斜視図である。
【００１１】
図１において、図示しない建物には、図示しない昇降機が設けられる。例えば、建物には、エレベータが設けられる。エレベータは、図示しない昇降路を備える。昇降路は、建物の各階を貫く。昇降路内には、図示しないかごが設けられる。例えば、昇降路の上部には、図示しない機械室１が設けられる。機械室１には、制御盤２が設けられる。制御盤２は、エレベータ全体を制御する機能を備える。
【００１２】
制御盤２には、識別体３が隣接する。例えば、識別体３は、制御盤２の一側面に設けられる。例えば、識別体３は、ＩＣタグからなる。識別体３は、エレベータに関連しない識別情報を保持する。例えば、識別情報は、当該識別体３に固有の連番からなる。例えば、識別情報は、企業ＩＤコードを含む連番からなる。
【００１３】
次に、図２を用いて、昇降機の作業状況管理システムを説明する。
図２はこの発明の実施の形態１における昇降機の作業状況管理システムの構成図である。
【００１４】
図２において、エレベータの管理会社の事務所には、パーソナルコンピュータ４が設けられる。エレベータの管理会社の事務所には、携帯電話用サーバ５が設けられる。携帯電話用サーバ５は、連番管理テーブルと訪問履歴情報テーブルとを記憶する。連番管理テーブルは、識別体１２の識別情報と当該識別体１２が設けられたエレベータに関連した情報とを対応付けた情報からなる。訪問履歴情報は、エレベータの点検に関する情報からなる。
【００１５】
エレベータの管理会社の事務所には、作業状況管理サーバ６が設けられる。作業状況管理サーバ６は、パーソナルコンピュータ４と携帯電話用サーバ５とに接続される。作業状況管理サーバ６は、携帯電話用サーバ５と同様に、連番管理テーブルと訪問履歴情報テーブルとを記憶する。
【００１６】
作業状況管理サーバ６の連番管理テーブルは、携帯電話用サーバ５の連番管理テーブルと定期的に同期する。作業状況管理サーバ６の訪問履歴情報テーブルは、携帯電話用サーバ５の訪問履歴情報テーブルと定期的に同期する。
【００１７】
エレベータの保守員は、メンテナンスコンピュータ７及び携帯電話８の少なくとも一方を携帯端末装置として携帯する。メンテナンスコンピュータ７には、エレベータの点検に関する専用ソフトがインストールされる。メンテナンスコンピュータ７は、作業状況管理サーバ６と同様に、連番管理テーブルと訪問履歴情報テーブルとを記憶する。
携帯電話８には、エレベータの点検に関する専用ソフトがインストールされる。
【００１８】
例えば、エレベータの点検開始時において、保守員は、メンテナンスコンピュータ７により識別体１２から識別情報を非接触で読み取る。メンテナンスコンピュータ７は、連番管理テーブルにおいて当該識別体１２の識別情報に対応したエレベータの識別情報を取得する。この際、メンテナンスコンピュータ７は、訪問履歴情報テーブルにおいて識別体１２の識別情報の読取タイミングの情報を当該エレベータの識別情報に対応付けて記憶する。
【００１９】
例えば、エレベータの点検終了時において、保守員は、メンテナンスコンピュータ７により識別体１２から識別情報を非接触で読み取る。メンテナンスコンピュータ７は、連番管理テーブルにおいて当該識別体１２の識別情報に対応したエレベータの識別情報を取得する。この際、メンテナンスコンピュータ７は、訪問履歴情報テーブルにおいて識別体１２の識別情報の読取タイミングの情報を当該エレベータの識別情報に対応付けて記憶する。
【００２０】
保守員は、複数のエレベータに対し同様の点検作業を行う。その後、保守員は、メンテナンスコンピュータ７をエレベータの管理会社の事務所に持ち帰る。
【００２１】
エレベータの管理会社の事務所において、保守員は、メンテナンスコンピュータ７から一日分の訪問履歴情報テーブルをエレベータの点検に関するカルテ情報と合わせてパーソナルコンピュータ４に自動でアップロードする。パーソナルコンピュータ４は、訪問履歴情報テーブルとエレベータの点検に関するカルテ情報とを作業状況管理サーバ６に自動でアップロードする。
【００２２】
例えば、エレベータの点検開始時において、保守員は、携帯電話８により識別体１２から識別情報を非接触で読み取る。その後、保守員は、専用ソフトを用いて識別体１２の識別情報と当該識別体１２の識別情報の読取タイミングを携帯電話用サーバ５へ送信する。
【００２３】
携帯電話用サーバ５は、連番管理テーブルにおいて当該識別体１２の識別情報に対応したエレベータの識別情報を取得する。この際、携帯電話用サーバ５は、訪問履歴情報テーブルにおいて識別体１２の識別情報の読取タイミングの情報を当該エレベータの識別情報に対応付けて記憶する。その後、携帯電話用サーバ５は、当該識別体１２の識別情報に対応したエレベータの識別情報を携帯電話８へ送信する。
【００２４】
保守員は、専用ソフトを用いてエレベータの識別情報を携帯電話用サーバ５へ送信する。携帯電話用サーバ５は、当該エレベータの識別情報に基づいて当該エレベータに関連した他の情報を携帯電話８へ送信する。
【００２５】
例えば、エレベータの点検終了時において、保守員は、携帯電話８により識別体１２から識別情報を非接触で読み取る。その後、保守員は、専用ソフトを用いて識別体１２の識別情報と当該識別体１２の識別情報の読取タイミングの情報を携帯電話用サーバ５へ送信する。
【００２６】
携帯電話用サーバ５は、連番管理テーブルにおいて当該識別体１２の識別情報に対応したエレベータの識別情報を取得する。この際、携帯電話用サーバ５は、訪問履歴情報テーブルにおいて識別体１２の識別情報の読取タイミングの情報を当該エレベータの識別情報に対応付けて記憶する。
【００２７】
次に、図３を用いて、連番管理テーブルを説明する。
図３はこの発明の実施の形態１における昇降機の作業状況管理システムの連番管理テーブルを説明するための図である。
【００２８】
図３において、識別体１２の識別情報は、「ＩＣタグ連番」からなる。識別体１２の識別情報には、エレベータの識別情報が対応付けられる。図２においては、エレベータの識別情報は、「建物番号」、「エレベータ番号」からなる。
【００２９】
「建物番号」は、当該エレベータが設けられた建物に固有の番号からなる。「エレベータ番号」は、同一の建物に設けられた複数のエレベータの中で当該エレベータに割り当てられた番号からなる。
【００３０】
識別体１２の識別情報には、エレベータに関連した他の情報が対応付けられる。図２においては、エレベータに関連した他の情報は、「機種」、「ビル名」、「設置年月日」、「撤去年月日」、「お客様連絡先メールアドレス」からなる。
【００３１】
「機種」は、当該エレベータの機種の型番からなる。「ビル名」は、当該エレベータが設けられた建物の名称からなる。「設置年月日」は、当該エレベータが設置された年月日からなる。「撤去年月日」は、当該エレベータが撤去された年月日からなる。「お客様連絡先メールアドレス」は、当該エレベータが設けられた建物の所有者のメールアドレスからなる。
【００３２】
次に、図４を用いて、訪問履歴情報テーブルを説明する。
図４はこの発明の実施の形態１における昇降機の作業状況管理システムの訪問履歴情報テーブルを説明するための図である。
【００３３】
図４に示すように、エレベータの識別情報には、識別体１２の読取タイミングの情報が対応付けられる。図４においては、識別体１２の読取タイミングの情報は、「ＩＣタグ読取日」、「ＩＣタグ読取時刻」からなる。
【００３４】
「ＩＣタグ読取日」は、当該識別体１２から識別情報を読み取った年月日からなる。「ＩＣタグ読取時刻」は、当該識別体１２から識別情報を読み取った時刻からなる。
【００３５】
エレベータの識別情報には、エレベータの保守員の情報が対応付けられる。図４においては、エレベータの保守員の情報は、「保守員」からなる。「保守員」は、当該エレベータの点検を行った者の氏名からなる。
【００３６】
次に、図５と図６とを用いて、作業状況管理システムの動作の一例を説明する。
図５と図６とはこの発明の実施の形態１における昇降機の作業状況管理システムの動作を説明するためのフローチャートである。
【００３７】
ステップＳ１では、保守員は、点検作業を開始するか否かを判断する。ステップＳ１で保守員が点検作業を開始しない場合は、ステップＳ１が繰り返される。ステップＳ１で保守員が点検作業を開始する場合は、ステップＳ２に進む。
【００３８】
ステップＳ２では、保守員は、携帯電話８内の専用ソフトを起動する。その後、ステップＳ３に進み、保守員は、携帯電話８内の専用ソフトを用いてＩＣタグから「ＩＣタグ連番」を読み取る。その後、ステップＳ４に進み、携帯電話８は、ＩＣタグ内の「ＩＣタグ連番」を取得する。この際、携帯電話８は、現時点の日時を「ＩＣタグ読取日」、「ＩＣタグ読取時刻」として取得する。その後、ステップＳ５に進み、保守員は、携帯電話８内の専用ソフトを用いて「ＩＣタグ連番」、「ＩＣタグ読取日」、「ＩＣタグ読取時刻」、「保守員」を携帯電話用サーバ５へ送信する。
【００３９】
その後、ステップＳ６に進み、携帯電話用サーバ５は、連番管理テーブルにおいて当該「ＩＣタグ連番」を検索する。その後、ステップＳ７に進み、携帯電話用サーバ５は、当該「ＩＣタグ連番」に対応した「建物番号」と「エレベータ番号」とがあるか否かを判定する。
【００４０】
ステップＳ７で当該「ＩＣタグ連番」に対応した「建物番号」と「エレベータ番号」とがない場合は、動作が終了する。ステップＳ７で当該「ＩＣタグ連番」に対応した「建物番号」と「エレベータ番号」とがある場合は、ステップＳ８に進む。
【００４１】
ステップＳ８では、携帯電話用サーバ５は、訪問履歴情報テーブルにおいて「ＩＣタグ読取日」、「ＩＣタグ読取時刻」、「保守員」を登録する。その後、ステップＳ９に進み、携帯電話用サーバ５は、「ＩＣタグ読取日」、「ＩＣタグ読取時刻」をエレベータの点検開始日時として当該「ＩＣタグ連番」に対応した「お客様連絡先メールアドレス」に送信する。
【００４２】
その後、ステップＳ１０に進み、保守員は、点検作業を終了するか否かを判断する。ステップＳ１０で保守員が点検作業を終了しない場合は、ステップＳ１０が繰り返される。ステップＳ１０で保守員が点検作業を終了する場合は、ステップＳ１１に進む。
【００４３】
ステップＳ１１では、保守員は、携帯電話８内の専用ソフトを起動する。その後、ステップＳ１２に進み、保守員は、携帯電話８内の専用ソフトを用いてＩＣタグから「ＩＣタグ連番」を読み取る。その後、ステップＳ１３に進み、携帯電話８は、ＩＣタグ内の「ＩＣタグ連番」を取得する。この際、携帯電話８は、現時点の日時を「ＩＣタグ読取日」、「ＩＣタグ読取時刻」として取得する。その後、ステップＳ１４に進み、保守員は、携帯電話８内の専用ソフトを用いて「ＩＣタグ連番」、「ＩＣタグ読取日」、「ＩＣタグ読取時刻」、「保守員」を携帯電話用サーバ５へ送信する。
【００４４】
その後、ステップＳ１５に進み、携帯電話用サーバ５は、連番管理テーブルにおいて当該「ＩＣタグ連番」を検索する。その後、ステップＳ１６に進み、携帯電話用サーバ５は、当該「ＩＣタグ連番」に対応した「建物番号」と「エレベータ番号」とがあるか否かを判定する。
【００４５】
ステップＳ１６で当該「ＩＣタグ連番」に対応した「建物番号」と「エレベータ番号」とがない場合は、動作が終了する。ステップＳ１６で当該「ＩＣタグ連番」に対応した「建物番号」と「エレベータ番号」とがある場合は、ステップＳ１７に進む。
【００４６】
ステップＳ１７では、携帯電話用サーバ５は、訪問履歴情報テーブルにおいて「ＩＣタグ読取日」、「ＩＣタグ読取時刻」、「保守員」を登録する。その後、ステップＳ１８に進み、携帯電話用サーバ５は、「ＩＣタグ読取日」、「ＩＣタグ読取時刻」をエレベータの点検終了日時として当該「ＩＣタグ連番」に対応した「お客様連絡先メールアドレス」に送信する。
【００４７】
以上で説明した実施の形態１によれば、識別体は、エレベータに関連しない識別情報を保持する。この場合、専用ソフトを用いなければ、エレベータの識別情報を取得することができない。このため、エレベータに関連した情報の漏洩を防止することができる。
【００４８】
識別体１２を紛失した場合は、新たな識別体１２を用いればよい。この際、連番管理テーブルにおいて、紛失した識別体１２の識別情報の欄を新たな識別体１２の識別情報に書き換えればよい。この場合、紛失した識別体１２の識別情報に基づいて当該エレベータの識別情報を取得することができない。このため、エレベータに関連した情報の漏洩を防止することができる。
【００４９】
また、識別体１２は、制御盤１１に隣接する。制御盤１１は、エレベータが運転する際に外部から見えない。この場合、一般の利用者は、識別体１２の識別情報を取得することができない。このため、エレベータに関連した情報の漏洩を確実に防止することができる。
【００５０】
また、エレベータの点検時に、「ＩＣタグ読取日」、「ＩＣタグ読取時刻」が「お客様連絡先メールアドレス」に送信される。具体的には、エレベータの点検開始時及び点検終了時に、「ＩＣタグ読取日」、「ＩＣタグ読取時刻」が「お客様連絡先メールアドレス」に送信される。このため、当該エレベータの所有者は、当該エレベータが設けられた建物にいなくても、エレベータの点検が行われたことを把握することができる。
【００５１】
なお、「ＩＣタグ読取日」、「ＩＣタグ読取時刻」を保守員の就業管理等に活用してもよい。
【００５２】
実施の形態２．
図７はこの発明の実施の形態２における作業状況管理システムを利用したエスカレータの制御盤の斜視図である。なお、実施の形態１と同一又は相当部分には同一符号を付して説明を省略する。
【００５３】
実施の形態１の作業状況管理システムはエレベータに適用される。一方、実施の形態２の作業状況管理システムはエスカレータに適用される。
【００５４】
図７において、図示しない建物には、図示しない昇降機が設けられる。例えば、建物には、エスカレータが設けられる。エスカレータは、建物の隣接階をつなぐ。隣接階の下方階には、図示しない下部乗降口が設けられる。隣接階の上方階には、上部乗降口９が設けられる。下部乗降口と上部乗降口９との間には、斜行部が設けられる。例えば、上部乗降口９の床面の下方には、機械室１０が設けられる。機械室１０には、制御盤１１が設けられる。制御盤１１は、エスカレータ全体を制御する。
【００５５】
制御盤１１には、識別体１２が隣接する。例えば、識別体１２は、制御盤１１の上面に設けられる。例えば、識別体３は、ＩＣタグからなる。識別体３は、エスカレータに関連しない識別情報を保持する。例えば、識別情報は、当該識別体３に固有の連番からなる。例えば、識別情報は、企業ＩＤコードを含む連番からなる。
【００５６】
実施の形態２の作業状況管理システムは、実施の形態１の作業状況管理システムと同様に動作する。
【００５７】
以上で説明した実施の形態２によれば、実施の形態１と同様に、専用ソフトを用いなければ、エスカレータの識別情報を取得することができない。このため、エスカレータに関連した情報の漏洩を防止することができる。
【００５８】
なお、作業状況管理システムを動く歩道に適用してもよい。この場合も、専用ソフトを用いなければ、動く歩道の識別情報を取得することができない。このため、動く歩道に関連した情報の漏洩を防止することができる。
【符号の説明】
【００５９】
１  機械室、  ２  制御盤、  ３  識別体、  ４  パーソナルコンピュータ、  ５  携帯電話用サーバ、  ６  作業状況管理サーバ、  ７  メンテナンスコンピュータ、  ８  携帯電話、  ９  上部乗降口、  １０  機械室、  １１  制御盤、  １２  識別体
【図１】
2015020836.tif 000003
【図２】
2015020836.tif 000004
【図３】
2015020836.tif 000005
【図４】
2015020836.tif 000006
【図５】
2015020836.tif 000007
【図６】
2015020836.tif 000008
【図７】
2015020836.tif 000009